(57)【要約】【課題】交差する第１仕切板と第２仕切板との係合を確実に維持して、容易に折り畳むことができ、しかも、第１仕切板と第２仕切板とを仕切り状態に直交させたとき、第１仕切板と第２仕切板との直交状態を確実に維持することができる仕切体を提供する。【解決手段】底板２の両側に起立する第１仕切板３，４に第２仕切板５，６，７を組み付ける。底板２に底部切込み１１を設け、第１仕切板３，４に底部切込み１１の両端に連続する下切込み１２，１３を設け、第２仕切板５，６，７に上切込み１４，１５を設ける。底板２に第１折畳線１０を設け、第２仕切板５，６，７に第２折畳線１６を設ける。上切込み１４，１５は、第２仕切板５，６，７の一側方に向かって屈曲又は湾曲し、第２折畳線１６を軸とする左右対称とされる。上切込み１４，１５に挿着された第１仕切板３，４は湾曲して弾発的に上切込み１４，１５に圧接係合する。【選択図】図１
2008030760.tif 000002
【特許請求の範囲】
【請求項１】
矩形状の底板の両側端縁に折目線を介して連設された一対の第１仕切板が互いに対向するように起立され、両第１仕切板に交差する方向に第２仕切板が組み付けられ、該第２仕切板は、底板に形成された底部切込みを介して底板を下方から貫通して、該底部切込みの両端に連続して両第１仕切板の下縁から上方に向かって所定の位置まで延びる下切込みに挿着され、更に、両第１仕切板の各下切込みに対応して形成された前記第２仕切板の上縁から下方に向かって所定の位置まで延びる一対の上切込みに、各第１仕切板の上縁と下切込みの上端との間の板面が挿着されてなる段ボール板紙製の仕切体において、
前記底板は、両第１仕切板間の中央に沿って延びる第１折畳線を介して該底板の上面同士が重合する方向に折り畳み自在とされ、
前記第２仕切板は、両上切込みの中央に沿って延びる第２折畳線を介して該第２仕切板の一側面同士が重合する方向に折り畳み自在とされ、
前記第２仕切板の両上切込みは、互いに第２折畳線を軸とする左右対称に一側方に向かって屈曲又は湾曲する形状に形成されており、
各上切込みに挿着された各第１仕切板は、各上切込みに沿って湾曲して弾発的に該上切込みに圧接係合することを特徴とする仕切体。
【請求項２】
前記第１仕切板は、材料となる段ボール板紙のフルート部が高さ方向に沿った縦向きとなるよう起立され、
前記第２仕切板は、材料となる段ボール板紙のフルート部が横向きとなるように両第１仕切板に組みつけられ、
前記第２折畳線は、一方側のライナー部及びフルート部に切れ目を形成することにより他方側のライナー部をヒンジとして折り曲げ自在とされていることを特徴とする請求項１記載の仕切体。
【発明の詳細な説明】
【技術分野】
【０００１】
本発明は、箱内に収容して箱内を格子状に区画する仕切体に関する。
【背景技術】
【０００２】
一般に、瓶体等の物品を複数配列して箱内に収納するとき、隣り合う物品同士が互いに接触して損傷することのないように、箱内を格子状に区画する仕切体が用いられる。この種の仕切体としては、段ボール板紙によって形成された複数枚の第１仕切板と複数枚の第２仕切板とを互いに交差させて平面視井桁状に組むことによって形成されるものが知られている。しかし、第１仕切板と第２仕切板とを互いに交差させて組立てる仕切体においては、第１仕切板と第２仕切板との相互の組み付け作業が煩わしいだけでなく、組み立てた後に第１仕切板と第２仕切板とが外れやすく、使い勝手が悪い。
【０００３】
また、従来、底板の両側端縁に連設された一対の第１仕切板を起立させ、第２仕切板を両第１仕切板に交差するように下方から組み付けた仕切体が知られている（特許文献１参照）。この仕切体によれば、一対の第１仕切板が底板と一体に連設されている分、部品点数を削減することができる。また、特許文献１に記載された仕切体においては、底板と一体の第１仕切板に第２仕切板が下方から組み付けられ、更に、第２仕切板に設けられた突起を第１仕切板の溝部に係合させるので、組み立てた後の第１仕切板と第２仕切板との係合状態が比較的強固に維持されて、不用意な外れを防止することができる。しかし、このように、第１仕切板と第２仕切板とが強固に係合する仕切体は、一旦組み立てられると扁平に折り畳むことができず、未使用状態では嵩張る不都合がある。
【特許文献１】実開昭５４−１３０９７８号公報（第１図〜第４図）
【発明の開示】
【発明が解決しようとする課題】
【０００４】
かかる不都合を解消して、本発明は、互いに交差する第１仕切板と第２仕切板との係合状態を確実に維持することができるだけでなく、容易に折り畳むことができ、しかも、折り畳んだ状態から仕切り状態に第１仕切板と第２仕切板とを直交させたとき、第１仕切板と第２仕切板とが直交する仕切り状態を確実に維持することができる仕切体を提供することを目的とする。
【課題を解決するための手段】
【０００５】
かかる目的を達成するために、本発明は、矩形状の底板の両側端縁に折目線を介して連設された一対の第１仕切板が互いに対向するように起立され、両第１仕切板に交差する方向に第２仕切板が組み付けられ、該第２仕切板は、底板に形成された底部切込みを介して底板を下方から貫通して、該底部切込みの両端に連続して両第１仕切板の下縁から上方に向かって所定の位置まで延びる下切込みに挿着され、更に、両第１仕切板の各下切込みに対応して形成された前記第２仕切板の上縁から下方に向かって所定の位置まで延びる一対の上切込みに、各第１仕切板の上縁と下切込みの上端との間の板面が挿着されてなる段ボール板紙製の仕切体において、前記底板は、両第１仕切板間の中央に沿って延びる第１折畳線を介して該底板の上面同士が重合する方向に折り畳み自在とされ、前記第２仕切板は、両上切込みの中央に沿って延びる第２折畳線を介して該第２仕切板の一側面同士が重合する方向に折り畳み自在とされ、前記第２仕切板の両上切込みは、互いに第２折畳線を軸とする左右対称に一側方に向かって屈曲又は湾曲する形状に形成されており、各上切込みに挿着された各第１仕切板は、各上切込みに沿って湾曲して弾発的に該上切込みに圧接係合することを特徴とする。
【０００６】
本発明の仕切体は、一対の第１仕切板と底板とが一体に連設されているので、両第１仕切板の間隔が底板によって維持され、第１仕切板と第２仕切板とが直交する仕切り状態を確実に維持することができる。
【０００７】
仕切り状態の第２仕切板は、底板に形成された底部切込みを介して底板を下方から貫通して、両第１仕切板の下切込みに挿着されているので、組立状態で箱内に収納したとき、振動や衝撃によって第２仕切板のみが上方に抜け出すことがなく、第１仕切板及び第２仕切板の高さ寸法を小として仕切体の材料を削減することが可能となる。また、第２仕切板を把持して上方に持ち上げても、両第１仕切板から第２仕切板のみが上方に抜け出すことがなく、組立状態で箱内に収納する際に取り扱いが容易である。更に、第２仕切板の両上切込みは、屈曲又は湾曲する形状であるので、各上切込みに挿着された各第１仕切板は各上切込みに沿って湾曲して弾発的に該上切込みに圧接係合し、例えば、第１仕切板を把持して上方に持ち上げた場合でも、両第１仕切板からの第２仕切板の抜落ちを防止することができる。
【０００８】
本発明の仕切体を折り畳むときには、前記第１折畳線に沿って底板をその中央から内側面同士が重合する方向に折り曲げる。同時に、前記第２折畳線に沿って第２仕切板をその中央から左右側が重合する方向に半分に折り曲げる。このように、前記底板と前記第２仕切板とを夫々半分に折り曲げるだけで、半分に折り曲げられた第２仕切板が両第１仕切板間に折り込まれて重合し、極めて容易に偏平に折り畳むことができる。
【０００９】
また、折り畳んだ状態から、底板と第２仕切板とを夫々扁平に広げるだけで、第１仕切板と第２仕切板とが直交する仕切り状態を容易に形成することができる。このとき、第２仕切板の両上切込みが屈曲又は湾曲しており、第２仕切板を扁平に広げるときに、上切込みに挿着された第１仕切板が弾発的に湾曲するので、扁平となった第２仕切板の第２折畳線の両側から面方向に第１仕切板の付勢力が付与されるので、第２仕切板の折癖が解消されて第２仕切板の扁平状態が維持される。しかも、第１仕切板の弾発的な湾曲により底板に対してその両側から第１仕切板の付勢力が付与されるので、底板に張りが生じて、底板の折癖が解消される。これによって、折り畳んだ状態から仕切り状態とされた仕切体は、折り畳んだときに生じた折癖が解消されて、仕切り状態を確実に維持することができる。
【００１０】
なお、上切込みの形状において屈曲する方向又は湾曲する方向は第２仕切板の外側（側縁に向かう方向）でも内側（第２折畳線に向かう方向）でもよい。そして、両上切込みは互いに第２折畳線を軸とする左右対称に設けられているので、例えば、一方の上切込みが外側に屈曲又は湾曲しているときには、他方の上切込みも反対側の外側に屈曲又は湾曲し、両第１仕切板の弾発的な湾曲から得られる底板及び第２仕切板への付勢力を均等に発生させることができる。
【００１１】
また、本発明において、前記第１仕切板は、材料となる段ボール板紙のフルート部が高さ方向に沿った縦向きとなるよう起立され、前記第２仕切板は、材料となる段ボール板紙のフルート部が横向きとなるように両第１仕切板に組みつけられ、前記第２折畳線は、一方側のライナー部及びフルート部に切れ目を形成することにより他方側のライナー部をヒンジとして折り曲げ自在とされていることが好ましい。
【００１２】
一般に段ボール板紙は、フルート部の向きに沿って折れ目が生じやすく、比較的小さな力で折れ曲がりが生じる。しかし、フルート部の向きに直交する方向に対しては比較的折れ曲がり難く、弾発的に撓ませることが容易となる。そこで、本発明においては、前記第１仕切板をフルート部が縦向きとなるよう起立さているので、第１仕切板を第２仕切板の上切込みに係合させたとき、第１仕切板にフルート部に沿った折れ曲がりが生じることなく確実に弾発的な撓みを得ることができる。
【００１３】
また、段ボール板紙は、フルート部の向きに沿った方向に対する強度が高い。そこで、本発明においては、前記第２仕切板を、フルート部が横向きとなるように両第１仕切板に組みつけることで、第２仕切板の上切込みがフルート部の向きに直交して延び、これによって、上切込みにおける第１仕切板への圧接状態を確実にえることができる。
【００１４】
そして更に、前記第２仕切板においては、一方側のライナー部及びフルート部に切れ目を形成することにより他方側のライナー部をヒンジとして折り曲げ自在とする第２折畳線を設けたので、第２仕切板が扁平状態で第１仕切板に直交するとき、第２折畳線の切れ目によるフルート部の切断端縁同士が比較的平坦に当接し、第１仕切板からの付勢力を受けたときに安定して確実に第２仕切板の扁平状態を維持することができる。これにより、折り畳んだ状態から、第２仕切板とを夫々扁平に広げて仕切り状態を形成したときに、第２仕切板の折癖を一層確実に解消することができ、仕切り状態を確実に維持することができる。
【発明を実施するための最良の形態】
【００１５】
本発明の一実施形態を図面に基づいて説明する。図１は本実施形態の仕切体の仕切り状態を示す斜視図、図２は本実施形態の仕切体の分解状態を示す斜視図、図３は本実施形態の仕切体の展開状態を示す平面図、図４は第２仕切板の一部を示す説明的断面図、図５は本実施形態の仕切体の折畳状態を示す斜視図、図６は本実施形態の仕切体の説明的側面図である。
【００１６】
本実施形態の仕切体１は、図示しない包装用箱体に収容して瓶等の被包装物の収納スペースを各瓶毎に区画するものである。図１及び図２に示すように、仕切体１は、矩形状の底板２と、該底板２の両側縁に起立する一対の第１仕切板３，４とを備えている。両第１仕切板３，４には、両第１仕切板３，４に直交して３枚の第２仕切板５，６，７が所定間隔を存して組み付けられている。
【００１７】
図３に展開して示すように、底板２と一対の第１仕切板３，４とは、段ボール板紙を打ち抜いて形成され、両第１仕切板３，４は、その夫々が底板２の両側縁に折目線８，９を介して一体に連設されている。底板２には、両第１仕切板３，４の下縁に平行な第１折畳線１０が中央に延設されている。第１折畳線１０は、底板２をその中央から半分に折り曲げ自在とするものである。底板２には、第２仕切板５，６，７に対応して貫通自在の底部切込み１１が形成されている。両第１仕切板３，４には、その下縁から上方に向かって所定の位置まで延びる下切込み１２，１３が各底部切込み１１の両端に連続して形成されている。なお、底板２と一対の第１仕切板３，４とは、段ボール板紙のライナー部Ｌの一部を破断して示すように、フルート部Ｆが第１仕切板３，４の高さ方向に沿って縦方向となるように形成されている。
【００１８】
図３に示すように、３枚の第２仕切板５，６，７は、共に同一形状に形成されており、その上縁から下方に延びる一対の上切込み１４，１５が形成されている。各上切込み１４，１５は、各下切込み１２，１３に対応して噛み合う位置に設けられている。また、各第２仕切板５，６，７の両第１仕切板３，４間の中央に対応する位置には、上縁から下縁に至る第２折畳線１６が形成されている。第２折畳線１６は、各第２仕切板５，６，７をその中央から半分に折り曲げ自在とする。更に、各第２仕切板５，６，７に設けられている上切込み１４，１５は、各第２仕切板５，６，７の側縁に向かって僅かに屈曲している。このとき、一対の上切込み１４，１５同士は、第２折畳線１６を介して左右対称に設けられている。
【００１９】
なお、各第２仕切板５，６，７は、段ボール板紙のライナー部Ｌの一部を破断して示すように、フルート部Ｆが横方向となるように形成されている。また、第２折畳線１６は、図４に一部を示すように、一方側のライナー部Ｌ１からフルート部Ｆに切れ目を形成することにより他方側のライナー部Ｌ２をヒンジとして折り曲げ自在とされている。
【００２０】
そして該仕切体１は、図２に示すように、各第２仕切板５，６，７を底板２の下方から底板２の各底部切込み１１を貫通させ、各第１仕切板３，４の下切込み１２，１３に各第２仕切板５，６，７の上切込み１４，１５を噛み合わせるように組み付ける。こうすることで、図１に示すように、各仕切板３，４，５，６，７が互いに直交する格子状に組み付けられ、箱体の内部を１２等分のスペースに区画する仕切り状態となる。
【００２１】
本実施形態の仕切体１を折り畳む時には、図１を参照して、底板２を第１折畳線１０を介して下方に突出するように半分に折り曲げ、同時に、第２仕切板５，６，７を第２折畳線１６を介して横方向に半分に折り曲げる。こうすることによって、底板２の第１折畳線１０及び第２仕切板５，６，７の第２折畳線１６の曲げ角度が鋭角に折れ曲がり、第１仕切板３，４及び第２仕切板５，６，７が互いに重合し、図５に示すように、偏平に折り畳まれる。そして、図５に示す折畳状態にある仕切体１から図１に示す仕切り状態を形成する場合には、両第１仕切板３，４同士を互いに離反させる。これにより、底板２の第１折畳線１０及び第２仕切板５，６，７の第２折畳線１６の折り曲げが解除され、第１仕切板３，４に対して第２仕切板５，６，７が直交して容易に仕切り状態を形成することができる。
【００２２】
そして、本実施形態の仕切体１によれば、図６に側面視するように、第２仕切板５に設けられている上切込み１４，１５が屈曲していることにより、上切込み１４，１５に挿着された第１仕切板３，４が弾発的に僅かに湾曲する。これによって、第１仕切板３，４が第２仕切板５を押さえ込むように付勢するので、第２折畳線１６による不用意な第２仕切板５の折れ曲がりが確実に防止され、底板２にも張りが発生し、仕切り状態が確実に維持される。図６においては、第２仕切板５のみが図示されているが、第２仕切板６及び７においても同様である。
【００２３】
なお、本実施形態においては、各第２仕切板５，６，７の上切込み１４，１５が側縁に向かうように屈曲して第２折畳線１６を軸とする左右対称に形成されているものを示したが、それに限るものではなく、図示しないが、上切込み１４，１５を第２折畳線１６に向かうように屈曲させて第２折畳線１６を軸とする左右対称に設けてもよい。また、本実施形態においては、上切込み１４，１５が屈曲しているものを示したが、上切込み１４，１５を湾曲する形状に設けてもよい。
【図面の簡単な説明】
【００２４】
【図１】本発明の一実施形態の仕切体の仕切り状態を示す斜視図。
【図２】本実施形態の仕切体の分解状態を示す斜視図。
【図３】本実施形態の仕切体の展開状態を示す平面図。
【図４】第２仕切板の一部を示す説明的断面図。
【図５】本実施形態の仕切体の折畳状態を示す斜視図。
【図６】本実施形態の仕切体の説明的側面図。
【符号の説明】
【００２５】
１…仕切体、２…底板、３，４…第１仕切板、５，６，７…第２仕切板、８，９…折目線、１０…第１折畳線、１１…底部切込み、１２，１３…下切込み、１４，１５…上切込み、１６…第２折畳線、Ｆ…フルート部、Ｌ１…一方側のライナー部、Ｌ２…他方側のライナー部。
【図１】
2008030760.tif 000003
【図２】
2008030760.tif 000004
【図３】
2008030760.tif 000005
【図４】
2008030760.tif 000006
【図５】
2008030760.tif 000007
【図６】
2008030760.tif 000008